(57)【要約】【課題】日本での幟は嘗ては神社や戦陣で使われ変じて歌舞伎，大相撲などの興行や催し物の宣伝，最近は小規模な商店等の短期間の宣伝に多く用いられ簡便で低廉であるが宣伝効果も実態があり，幟を立てたい希望はあるが街中の商店街では立てるスペ−スが少なく困惑しているのが現状である。【解決手段】街中の商店街で比較的に空いている場は軒下の壁部分であるがその場に従来型の幟を高レベルの効果を見込んで立てることはスペ−ス的にも不可なので壁部分において使える幟風にデザインした自動的に動く宣伝装置を考案した。【選択図】図１
2009116287.tif 000002
【特許請求の範囲】
【請求項１】
縦長の幟旗に似せた木製，金属製あるいはプラスチックス製，枠を付けたあるいは付けない布製等幟旗風の幟（以下単に幟という）の表と裏に幟特有の乳（ち）および竿と共にそれぞれ目的に添った宣伝文やそのためのイラスト等を直接に描きあるいは描いた紙（布）を張ってそれを乳と竿の描かれた長辺側を中心に保ちながら約１８０度回転させる事の出来る構造とし，表面から裏面へまた１８０度逆回転させる事によって裏面から表面を展示することの出来るような機構とした幟による宣伝装置。
【請求項２】
「請求項１」の幟による宣伝装置は，原則的には復数本を同時回転等所謂シンクロナイズさせることによって宣伝効果の更なる向上を狙えるように壁面等直線状の垂直面で当幟を設置できる場に於いては復数本をピアノ線等細く強靱な牽引索によって適当に距離をとって幟に付加したそれの回転装置の平ギヤ−の指定孔に順次結着し，牽引索を幟の巾だけ左と右に交互に牽引して１８０度の回転あるいは逆転を行わせ，その動力源は牽引索の一端に結着した既知のプログラムによって作動する減速等特殊機能を持つ固定した電動機と同牽引索の他の最終末端に決着して固定したバネの反発力とを利用することによって左右交互の往復牽引が行えるようにした幟による宣伝装置。
【請求項３】
「請求項２」において，復数本の幟をシンクロナイズに回転展示させる為に牽引索を任意に設定可能な時間間隔で左右交互に牽引することでそれが行えるようにしたが幟を設置する場が直線上になく，むしろ任意の場に配置することに於いて宣伝の更なる効果が期待出来る場合もある為に弱電波による起動・停止指令を幟に付加したプログラムを組み込んだ簡易な装置によって受信し回転，反転，任意方向の停止等々が可能なプログラムとその指令による機能をシンクロナイズ，非シンクロナイズを問わず幟各々に組み込んだ幟による宣伝装置。
【発明の詳細な説明】
【技術分野】
【０００１】  日本における「幟」は，古くから神社，戦陣で，またその歴史的な背景から祭礼や端午の節句等々にも用いられるようになり，お祝い事や組織，個人の存在等を知らしめまた鼓舞することにも使はれ，変じて歌舞伎，大相撲など興行や催し物の宣伝等にも使用されるようになった。ある意味で日本の文化に兆すが本特許は宣伝用としての幟に関するものである。
【背景技術】
【０００２】  幟は日本では現代に於いても比較的に馴染みのあるものとして受け入れられ継承存在し目的に沿って使用されているが，その永い歴史の中で諸々の経緯を経て昨今はどちらかと言えば簡便で低廉であり，その反面効果的であることもあってか，商業的な小規模で短期間の宣伝に用いられている例が圧倒的に多い。【０００３】  その形状はどの分野に於いても文字や目的の為のイラストなどを描いた丈が長く巾の狭い布の一方の長辺と短辺に沿ってＬ字型あるいは逆Ｌ字に一定間隔に乳（ち）を付けて，それに竿を通して大型では専用の設置台に，また小型（普通には）では，それを立てて任意の構造物に紐や針金等で結着して使用している。【０００４】  従来の幟旗は，一幟毎に大型での専用台を除き，小規模では杭，植栽の幹，フェンスの支柱，ガ−ドレ−ルなどに針金等で結着して設置されている。【０００５】
【特許文献１】「幟」に関する特許及び実用新案は合計１７０件あり，総て精査したが本特許と同じ又は似通った内容のものは無い。
【非特許文献１】本発明に関連する非特許文献は発見できなかった
【発明の開示】
【発明が解決しようとする課題】
【０００６】  風によってはためくのは目立たせる事による宣伝の狙いの一つとしても，強風に耐えられず傾いたり倒れたり破れたり幟の効果どころか好ましい状態ではない例を多く見掛け景観を甚だしく損ねている。このことは幟を掲げる方もそれを観てその趣旨を受け取る側も倒れかかることが危険であることを含めその改善を求めている。【０００７】  常に正しく掲げるためにはスペ−スとそれなりの手間と経費を必要とするがガ−ドレ−ルの利用など違反行為は論外である。
いずれにしても幟による宣伝効果のデ−タをとって正確に算定して効果を見積もって数字等で示した例は見当たらないが従来から宣伝効果は充分にあるものとしてそれなりに評価され使用されている。【０００８】  なお，小型の幟は，低廉であることの他に，はためくことを期待して多くの例は薄くて向こうが透けて見えるような布が使用されている。当然であるが裏側からは透けて左右逆に見え，何と描いてあるかの疑問がまた宣伝効果向上の一つの狙いとも思考できるが意図的なものであるか迄はつまびらかではない。【０００９】  中・小の商店等では駐車場を含めて敷地が狭い事もあって宣伝用の幟を植栽の幹，垣根の支柱，ガ−ドレ−ルなどに結着して立てているが，結着が不完全な事もあってその為に強風によって倒れたり折れたりして宣伝内容が見にくかったり本来の目的を達しているのか疑わしい例もある。【００１０】  なおそれだけではなく多数の人が出入りする場所なので幟が倒れかかり人に怪我をさせたり駐車中の車や物品を損傷したりする事も起こり得る。それでもなお幟を立てるのはそれなりに宣伝効果が見込めるからであろうが，狭いなりにも効果があって安全な幟による宣伝手法が求められている。
【課題を解決するための手段】
【００１１】  このような現状からここでははためきの効果と表が透けて字等が逆に見える為の読めないと思う効果の向上を踏まえて内容の異なる裏と表を同時ではなくゆっくりと時間をかけて反転させ，はためき即ち動きの効果と左右が逆に見える効果を表から裏，裏から表へ移る迄の経過時間内の期待感による効果に置き換えられるような機構とした。【００１２】  なお，宣伝効果としては目立たせる必要がある。幟はその典型であるが，同じ内容であっても異なった内容であっても全体が常に同調する動きは目立つ存在として効果的である。ここでは必要によって複数の幟の動きを同調させる機構も選択できるようにした。【００１３】  なお中・小の商店では設置スペ−スは一般的には狭い場合が多いので安全性の確保を含めて直線的な軒下を使用することを原則として牽引索で繋いで制御する構造とし，自動制御とすることによって幟の宣伝内容を更新する以外はその管理を含めて人手の掛からないような機構とした。【００１４】  設置スペ−スの比較的に広い場に於いては弱電波によって制御する方法を採用してより効果のある任意の適当な場に安全性を考慮して配置し設置することを可能にした。
【発明の効果】
【００１５】  上述したように従来あまり注目されていない軒下を使用することによってそのスペ−スが使えしかも複数の幟をシンクロナイズさせることによる宣伝効果の向上が期待できる。【００１６】なお手作りの宣伝文，イラスト等にも自由に活用できるので各店舗独特の宣伝内容とその効果が期待でき又特売日，価格等を知らせる手段にも使える等の効用がある。
【発明を実施するための最良の形態】
【００１７】  以下に本発明による実際を図１，２によって説明する。【００１８】  図１に於いてＩ型は主に軒下等の垂直面でほぼ直線状に連なる空きスペ−スを利用するもので，その場が窓であっても上下に当幟を固定することが出来れば設置は可能であり，その面が壁の場合を含めて窓の場合に於いても当幟における巾の２倍が確保できればその面積に該当する板等を張り，その縦中央線に幟長辺の乳３の部分を重ねてセットすれば設置が可能であるだけでなく本来の幟裏表の２面と更に２面合計４面を当幟と同じ趣旨の宣伝等に利用できることになる。【００１９】  すなわち図１−Ｉにおいて１とその裏面１’，１と１’に各々覆われている壁に該当する各一面（計２面）の合計４面である。各面単独にあるいは関連のある内容で宣伝，広告が可能となる。【００２０】  当幟はプログラムを組み込んだ減速装置付き電動機８によって駆動し牽引索７によって平ギヤー４を牽引すると図１−Ｉの事例では３本の幟はシンクロナイズに連動する構造なので図２−Ｉ，に示したように各幟の支柱を固定した歯車５が回転し共に幟は図１−Ｉの上面図に示す→印の方向に２を中心に右回転を始め設定時間後に表面１を裏に裏面１’を表にして１８０度回転し終わったところで電動機８が停止し幟は回転を終了してプログラムに従って逆転防止キ−が働く。牽引索の最終末端の固定したバネ９はその牽引分だけ伸びたままで休止状態を保つ。【００２１】  プログラムの設定によって逆転開始までの時間は異なるが指定した時間経過後において逆転防止キ−がプログラムの指令によって解除され左回りの逆転をそのバネ９の反発力を駆動源にして始まり，幟はやがて１８０度逆転して元の正位置に返る。【００２２】  この間において，幟が正位置における幟の左スペ−スの壁部分，幟の裏面が表になったとき幟が正位置において覆っていたその時点での幟右側の壁部分は幟の裏側と共に表出するのでそれらの２面が同じ趣旨で利用できることになる。【００２３】  このような動作を繰り返させることすなわち動くことと復数本の幟をシンクロナイズさせることによって宣伝効果を向上させるものである。【００２４】  図１−ＩＩにおいて，ランダムに幟をセットする時あるいはそれが出来る状況の場においては、その宣伝効果においてより高い配置等が自由に望める場合の幟は宣伝，広告は表裏２面になるが幟が２桁の本数においても比較的容易にシンクロナイズさせることが可能でその効果が期待できるＩＩ型において適当となる。【００２５】  ＩＩ型はＩ型と違って軒下ではなく露天にセットすることになるので幟毎にプログラムを含む起動部分を防水性の箱１０に収容して微弱電波によって作動するようにし，風等による転倒を防止するためアンカ−ボルト１２によって地面に固定するようにした宣伝広告装置である。
【図面の簡単な説明】
【００２６】
【図１】幟のＩ型（Ｉ）とＩＩ型（ＩＩ）の全体の各側面図と上面図
【図２】幟の１型（Ｉ）とＩＩ型（ＩＩ）の起動部の各機構側面図と上面図
【符号の説明】
【００２７】  １幟の表
１’幟の裏
２竿（画）
３乳（画）
４平ギヤ−
４’平ギヤ−スライドのためのガイド
４”平ギヤ−スライド面
５歯車
５’歯車（電動機直結）
６起動部固定金具
７牽引索
７’牽引索決着用の穴
８電動機（プログラム組込の減速装置付き）
９バネ
１０起動装置収容箱
１１アンテナ
１２アンカ−ボルト
１３制御装置（プログラム組込）
１４軸（竿）受け
←；回転方向
→；逆転方向
ＧＬ；地面
【図１】
2009116287.tif 000003
【図２】
2009116287.tif 000004